(57)【要約】【解決手段】  水密容器の水密部分であるフランジの溝内に嵌め込まれるガスケットと、前記フランジ溝の断面積比率を、１対１に近づくように設定する。また、ガスケットの体積がフランジ溝の体積を上回らないように設定する。ガスケットの断面形状を略Ｈ型とする。フランジ面に接するガスケットの突起を左右２列とする。【効果】  海水が溝に浸入することを防止できるから、海水によるフランジ溝の腐食ならびにガスケットの劣化を防止できる。特に、ゴム組織の圧壊が発生せず、圧縮永久歪の進行が緩やかになるため、ガスケットの寿命が長くなる。パッキンがフランジ溝からはみ出すのを防止できる。ガスケットを加圧したとき圧縮力が局部的に加わらないようにすることができる。上下左右に形成される凹所で圧縮変形時の逃げのスペースを得ることができる。使用時の方向性が自由である。ガスケットのシール性能がさらに向上する。【選択図】  図１
2005036926.tif 000002
【特許請求の範囲】
【請求項１】
水密容器の水密部分であるフランジの溝内に嵌め込まれるガスケットと前記フランジ溝の断面積比率を、１対１に近づくように設定したことを特徴とする水密容器用ガスケット。
【請求項２】
ガスケットの体積がフランジ溝の体積を上回らないように設定したことを特徴とする請求項１記載の水密容器用ガスケット。
【請求項３】
ガスケットの断面形状を略Ｈ型としたことを特徴とする請求項１又は２記載の水密容器用ガスケット。
【請求項４】
フランジ面に接するガスケットの突起を左右２列としたことを特徴とする請求項１〜３のいずれかに記載の水密容器用ガスケット。
【発明の詳細な説明】
【技術分野】
【０００１】
本発明は、水密容器の水密部分に用いることができるガスケット（通常、静止用シールと呼ばれている）の改良に関するものである。
【背景技術】
【０００２】
例えば、引込係留式のブイのように、水密容器を備えたものを海面付近など塩害が発生しやすい場所で使用すると、水密部分であるフランジの溝（ガスケット溝とも呼ばれる）部分に水分（特に、海水）が溜まり、それが原因でフランジの腐食がしばしば発生するのみならず、前記溝内に嵌め込まれているガスケットが劣化する。塩分濃度が上昇すると、フランジの腐食も加速される。
【発明の開示】
【発明が解決しようとする課題】
【０００３】
それを防止するために、従来、ＪＩＳ規格であるＯリングをガスケット代わりに用い、それをフランジの溝に嵌め込んでいるが、Ｏリングとフランジの溝との間に隙間が生じることは避けられず、そこに水分（特に、海水）が溜まってフランジ溝自体が腐食し、ガスケットであるＯリングの交換だけでは修復できない損傷が発生することになる。塩分濃度が上昇すると、フランジ溝自体の腐食も加速される。特に、沿岸部や海上で使用した場合においては、海水による溝の腐食は著しく、水密容器としての性能を喪失する事態となる。
【０００４】
Ｏリングの密封原理は、溝内に嵌め込んだＯリングを押しつぶすことによって発生するゴムの復元力（反発力）を利用して流体をシールすることである。この原理に基づいて密封性を増大させるために、Ｏリングを嵌め込む溝の幅を広くしてあるが、その結果、上述したように、Ｏリングとフランジの溝との間に隙間が生じるのを避けることはできない。
なお、Ｏリングに圧力が加わるとＯリングは圧力によって変形し、作用圧力に応じた反発力を発生する。その結果、「初期反発力」＋「作用圧力による反発力」となり、復元力が常に作用圧力より高くなるので、漏れを防ぐことができる。さらに圧力が高くなると、Ｏリングは圧力によって、溝の隙間に食い込んで行き、はみ出した部分が徐々にむしれて行くという事態を生じさせることになる。
【０００５】
前記Ｏリングのようにフランジの溝に水分が溜まらないようにするために、本出願人はそれに代わるものとして、図３(a)に示すように、リング状であって断面形状が上向きＤ型のガスケットを開発した。
このガスケットを用いた場合には、フランジの溝に海水が浸入するのを防止できるが、ガスケットがフランジ溝からはみ出してしまい、その部分が締め付けによりゴム組織の圧壊が起こり、短期間の内に圧力永久歪が発生して性能が失われてしまう。すなわち、ガスケットが早期に変形を起こすので、寿命が短いという欠点がある。長年の使用によって、このような欠点を有することも確認できており、これに代わるガスケットの開発が強く望まれている。
【０００６】
なお、断面形状上向きＤ型のガスケット以外に、以下に示すようなガスケットも開発されている。
【特許文献１】特開平８−２１９２９０号公報
【特許文献２】特開２００３−１６６６４７号公報
【課題を解決するための手段】
【０００７】
本発明者らはさらに鋭意研究を重ねた結果、水密容器の水密部分であるフランジの溝内に嵌め込まれるガスケットと前記フランジ溝の断面積比率を、１対１に近づくように設定することにより、上記目的を達成できることを見出した。このようにすることによって、海水がフランジ溝に浸入することを防止できる。したがって、海水によるフランジ溝の腐食ならびにガスケットの劣化を防止できる。特に、ゴム組織の圧壊が発生せず、圧縮永久歪の進行が緩やかになるため、ガスケットの寿命が長くなる。両者の断面積比率が１００％となるのが望ましいが、その数値より多少劣っていてもよい。ただし、９５％以上であることが本発明者らの目標値である。
【０００８】
ガスケットの体積がフランジ溝の体積を上回らないように設定しておくことが望ましい。このようにすることにより、パッキンがフランジ溝からはみ出すのを防止できる。
【０００９】
ガスケットの断面形状を、略Ｈ型としておくのがよい。この略Ｈ型とは、例えば、図１(c)に示すように、ガスケットの基本形状を上下及び左右対称とし、使用時の方向性を自由にしたことを意味する形状である。ガスケットの断面形状をこのような形状にすると、ガスケットを加圧したとき圧縮力が局部的に加わらないようにすることができる。また、断面形状が略Ｈ型の場合において、上下左右に形成される凹所で圧縮変形時の逃げのスペースを得ることができる。さらに、使用時の方向性が自由であるから、上下の方向性がなく、ガスケット取付時の誤りを防止できる。
【００１０】
フランジ面に接するガスケットの突起を左右２列としておくとよい。この場合には、左右２列の突起とその間に形成される凹所により、ガスケットのシール性能がさらに向上することになる。
【発明の効果】
【００１１】
請求項１記載の発明によれば、海水が溝に浸入することを防止できるから、海水によるフランジ溝の腐食ならびにガスケットの劣化を防止できるという効果がある。特に、ゴム組織の圧壊が発生せず、圧縮永久歪の進行が緩やかになるため、ガスケットの寿命が長くなるという利点を有する。
【００１２】
請求項２記載の発明によれば、パッキンがフランジ溝からはみ出すのを防止できるという利点を有する。
【００１３】
請求項３記載の発明によれば、ガスケットを加圧したとき圧縮力が局部的に加わらないようにすることができるのみならず、上下左右に形成される凹所で圧縮変形時の逃げのスペースを得ることができるという効果がある。また、使用時の方向性が自由であるから、上下の方向性がなく、ガスケット取付時の誤りを防止できるという利点を有する。
【００１４】
請求項４記載の発明によれば、左右２列の突起とその間に形成される凹所により、圧縮後のガスケットのシール性能がさらに向上するという利点を有する。
【発明を実施するための最良の形態】
【００１５】
本発明を実施するための形態を、図１，図３及び表１，表２に基づいて詳細に説明する。
ここにいう水密容器用のガスケット１は、図１(a)に示すような真円形のリング状であって、フランジ面に接する上下両面には、突起1a，1aが左右に２列形成されており、両突起1a，1a間には凹所1bが形成されている。また、図１(c)の左右に現れる内外両面には、高さ方向のほぼ中央付近に全周にわたって窪み1cが形成されている。このような構造をしたものであるところから、その断面形状（図１(a)におけるＡ−Ａ線拡大断面形状）は略Ｈ型となっている（図１(c)参照）。
【００１６】
ガスケット１の基本形状は上述したような形であるが、水密容器の水密部分であるフランジの溝に嵌め込まれるこのガスケット１の断面積と、前記フランジ溝の断面積の比率を１対１に近づくように設定する。このようにすると、海水がフランジ溝に浸入することを防止できる。したがって、海水によるフランジ溝の腐食ならびにガスケットの劣化を防止できる。特に、ゴム組織の圧壊が発生せず、圧縮永久歪の進行が緩やかになるため、ガスケットの寿命が長くなる。ガスケット１とフランジ溝の断面積比率が１００％となるのが望ましいが、その数値より多少劣っていてもよい。
【００１７】
また、ガスケット１の体積が前記フランジ溝の体積を上回らないように設定する。このようにすることにより、パッキンがフランジ溝からはみ出すのを防止できる。そして、上述したように、ガスケット１の断面形状は略Ｈ型であるから、ガスケットを加圧したとき圧縮力が局部的に加わらないようにすることができるのみならず、上下左右に形成される凹所で圧縮変形時の逃げのスペースを得ることができる。また、使用時の方向性が自由であるから、上下の方向性がなく、ガスケット取付時の誤りを防止できる。
【００１８】
さらに、フランジ面に接するガスケット１の突起1a，1aを左右２列とすることにより、左右２列の突起1a，1aと両突起1a，1a間に形成される凹所1bにより、圧縮後のガスケットのシール性能がさらに向上する。
【００１９】
このガスケット１の断面形状は上述したように「略Ｈ型」であるから、以下の説明及び表１，表２における説明では、便宜上それを単に「Ｈ型パッキン（本発明）」と略称して表わす。なお、このガスケット１を正面から見ると、図１(b)に示すような形となる。
【００２０】
そして、この「Ｈ型パッキン（本発明）」をフランジの溝に嵌め込んだ場合における「圧縮前の断面形状（圧縮前）」とフランジ溝内で圧縮された後の「断面形状（圧縮後）」、「塩害対策効果」、ならびに「パッキン寿命（現場では、ヘタリと称されている）」の概要を、表１に示す。なお、この表１には、本出願人が先に開発した断面形状上向きＤ型（図２(a)におけるＢ−Ｂ線拡大断面形状）のパッキン1'を「Ｄ型パッキン（従来品）」と、ＪＩＳ規格であるＯリングを「Ｏリング（ＪＩＳ規格）」と略称し、それらを「Ｈ型パッキン（本発明）」の右側に並べて表わした。
【００２１】
【表１】
2005036926.tif 000003
【００２２】
表１から分かるように、「Ｈ型パッキン（本発明）」の場合には、「Ｄ型パッキン（従来品）」の場合とは異なって、圧縮後においてもフランジ溝からパッキン（ガスケット）がはみ出ることがなく、また、フランジ溝に海水が浸入することがないという利点を有している。さらに、「Ｄ型パッキン（従来品）」に比べて、少なくとも寿命が長くなっている。
【００２３】
一方、この「Ｈ型パッキン」について、外観上の「製品の仕上がり状態」、基本性能としての「設計技術」、「材質」、「硬度」、「使用温度範囲」、「耐候性」、「耐油性」、「塩害対策」、「圧縮永久歪」、「つぶし率」、「充填率」、「初期水密性」、作業性としての「パッキン溝への取付」、「パッキン溝からの除去」、ならびに、「総合評価」の概要を、表２に示す。なお、この表２には、本出願人が先に開発した断面形状上向きＤ型（図２(a)におけるＢ−Ｂ線拡大断面形状）のパッキン（上で説明済）を「Ｄ型パッキン（従来品）」と略称し、本発明の「Ｈ型パッキン」の右側に並べて対比するとともに、「評価内容」をその右側に並べて合わせて対比した。
【００２４】
【表２】
2005036926.tif 000004
【００２５】
表２から分かるように、「Ｈ型パッキン（本発明）」の外観上の「製品の仕上がり状態」は、「Ｄ型パッキン（従来品）」の場合よりも良好であり、また、パッキン溝に海水が入らないように設計されている。材質に関しては、「Ｄ型パッキン（従来品）」の場合がネオプレンゴム（ＣＲ）であるのに対し、「Ｈ型パッキン（本発明）」の場合はパーオキサイト加硫エチレンプロピレンゴム（ＰＥＰ）からなっており、「圧縮永久歪の性能」が「Ｄ型パッキン（従来品）」より優れていることが分かる。
【００２６】
また、「Ｈ型パッキン（本発明）」の「硬度」は７０°であって、その数値が大きくなるほど「圧縮永久歪の性能」が大きくなることは周知の事実である。使用温度範囲は摂氏１３０〜−４５°であって、「Ｈ型パッキン（本発明）」の方が高温に耐えられることが分かる。２カ月後の変形を確認した結果、「圧縮永久歪」についても「Ｈ型パッキン（本発明）」の方が「Ｄ型パッキン（従来品）」の場合に比べて優れていることが分かる。また、「つぶし率」、「充填率」、作業性に関する「パッキン溝への取付」・「パッキン溝からの除去」についても、「Ｈ型パッキン（本発明）」の方が「Ｄ型パッキン（従来品）」の場合に比べていずれも優れていることが分かる。
【００２７】
「Ｈ型パッキン（本発明）」と「Ｄ型パッキン（従来品）」を比較した場合において、前者が後者よりも劣っている点は、唯一「耐油性」であって、機械油等に特に弱く、現場でフランジを清掃する際、あるいは、現場で油を使用したときには、油をふき取る必要がある。
この点以外の項目については、表２からも明らかなように、「Ｈ型パッキン（本発明）」と「Ｄ型パッキン（従来品）」とは同等であるか、少なくとも「Ｈ型パッキン」の方が優れており、総合的に見ると「Ｈ型パッキン」の方が高性能であると考えられる。
【産業上の利用可能性】
【００２８】
本発明によるガスケットは、例えば、図３において図面符号１で示すように、引込係留式のブイの水密容器であるフロート２と柱体３の鍔3aとを重ね合わせた水密部分に用いると有利なものであって、フロート２のフランジ2aの溝にガスケット１を嵌め込んだ上に柱体３の鍔3aを重ね合わせ、例えば、ネジ止めなどにより両者を固定する場合に用いると、極めて効果的なものである。
【図面の簡単な説明】
【００２９】
【図１】本発明の水密容器用ガスケットの一例を示すもので、(a)は平面図、(b)は正面図、(c)は図１(a)のＡ―Ａ線拡大断面図である。
【図２】本出願人が先に開発した断面形状上向きＤ型のパッキンの一例を示すもので、(a)は平面図、(b)は正面図、(c)は図２(a)におけるＢ−Ｂ線拡大断面図である。
【図３】本発明のガスケットを用いた引込係留式のブイの一例を示す概略図である。
【符号の説明】
【００３０】
１…ガスケット、1a…突起、1b…凹所、1c…窪み、２…フロート、2a…フランジ、３…柱体、3a…鍔。
【図１】
2005036926.tif 000005
【図２】
2005036926.tif 000006
【図３】
2005036926.tif 000007